(57)【要約】【課題】移動不能な画像読取部によって搬送中の原稿の画像を読み取るシートスルー方式の画像読取装置において、紙詰まり除去等に際してカバー体を開放させたときに、前記開放動作に伴いシェーディング補正用の白色基準体がカバー体の内面側に露出し、白色基準体を不用意に汚すという問題を解消する。【解決手段】原稿搬送路３０を挟んで一方に移動不能に配置された画像読取部３８と、原稿搬送路３０を挟んで他方に配置された白色基準体４３と、原稿搬送路３０を露出させたり覆ったりするように開閉可能なカバー体５０と、白色基準体４３をシェーディング補正時の作用姿勢と非作用姿勢とに姿勢変更させる駆動手段５５とを備える。カバー体５０に白色基準体４３を取り付ける。白色基準体４３と駆動手段５５とは、カバー体５０の開放動作に連動して白色基準体４３が作用姿勢にならないように関連付ける。【選択図】図３
2011155553.tif 000002
【特許請求の範囲】
【請求項１】
原稿搬送路を挟んで一方に移動不能に配置された画像読取部と、前記原稿搬送路を挟んで他方に配置されたシェーディング補正用の白色基準体と、前記原稿搬送路を露出させたり覆ったりするように開閉可能なカバー体と、前記白色基準体をシェーディング補正時の作用姿勢と非作用姿勢とに姿勢変更させる駆動手段とを備えており、前記カバー体に前記白色基準体が取り付けられている画像読取装置であって、
前記白色基準体と前記駆動手段とは、前記カバー体の開放動作に連動して前記白色基準体が前記作用姿勢にならないように関連付けられている、
画像読取装置。
【請求項２】
前記白色基準体は主走査方向に長い回転ローラであり、その外周に、前記主走査方向に沿って帯状に延びる白色基準面を有しており、
前記作用姿勢のときは、前記回転ローラが前記駆動手段の動力にて回転して、前記白色基準面を前記カバー体の前記原稿搬送路側に露出させており、
更に、前記カバー体の開放時に前記回転ローラの前記作用姿勢への回転を阻止するロック手段を備えている、
請求項１に記載した画像読取装置。
【請求項３】
前記ロック手段は、前記回転ローラの一端側に設けられた係合部に対して弾性変形にて係脱可能なラチェット爪を有しており、前記カバー体の開放動作によって前記ラチェット爪が前記回転ローラの前記係合部に係止し、前記回転ローラの前記作用姿勢への回転を阻止するように構成されている、
請求項２に記載した画像読取装置。
【請求項４】
前記駆動手段は、前記カバー体の開放時に前記白色基準体への動力伝達を遮断する伝動カット部材を有しており、前記伝動カット部材の作動によって、前記白色基準体が前記駆動手段による姿勢変更をしないフリー状態になるように構成されている、
請求項１に記載した画像読取装置。
【請求項５】
前記伝動カット部材は、前記カバー体の開閉動作に連動して前記白色基準体への動力伝達を断続するクラッチ部材である、
請求項４に記載した画像読取装置。
【請求項６】
前記伝動カット部材は、前記カバー体の開放動作によって噛み合いが解除されるギヤ部材である、
請求項４に記載した画像読取装置。
【請求項７】
前記カバー体側に前記駆動手段を設けることによって、前記カバー体の開放動作に連動して前記白色基準体が前記作用姿勢にならないように構成されている、
請求項１に記載した画像読取装置。
【発明の詳細な説明】
【技術分野】
【０００１】
本願発明は、移動不能な画像読取部によって搬送中の原稿の画像を読み取るシートスルー方式の画像読取装置に関するものである。
【背景技術】
【０００２】
一般に、シートスルー方式の画像読取装置においては、筐体内の画像読取部に対向する位置に白色ローラや白色板を配置し、その表面の白色を画像読取部が読み取ることによって、光学系や撮像系の特性による輝度ムラに対して一様な明るさの画像になるように補正する、いわゆるシェーディング補正を行っている。
【０００３】
しかし、白色ローラ等の表面は搬送中の原稿と接触するため汚れ易い。原稿との接触にて白色ローラ等が汚れると、基準となるべき白色が狂ってシェーディング補正の精度が低下する。
【０００４】
この点、特許文献１及び２には、画像読取部に対向する読取ローラの外周に、主走査方向に沿って延び且つ原稿と接触不能な形状の白色基準部を形成し、当該白色基準部を画像読取部が読み取ることによって、シェーディング補正を行う画像読取装置の構成が開示されている。
【０００５】
特許文献１の画像読取装置では、読取ローラの外周に形成された溝の底面を白色基準面とすることによって、白色基準面が搬送中の原稿と接触するのを回避している。特許文献２の画像読取装置では、読取ローラの外周の一部を、他の部分より曲率半径の大きい曲面（曲がりの緩い曲面）とし、当該曲面を白色基準面とすることによって、白色基準面が搬送中の原稿と接触するのを回避している。
【先行技術文献】
【特許文献】
【０００６】
【特許文献１】特開平５−３１９６１３号公報
【特許文献２】特開２００２−５１１９４号公報
【発明の概要】
【発明が解決しようとする課題】
【０００７】
ところで、この種の画像読取装置においては、例えば画像読取部と読取ローラとの間の原稿搬送路に詰まった原稿を取り除いたり、読取ローラの白色基準部を清掃したりするために、筐体に対して開閉可能で原稿搬送路を露出させたり覆ったりするガイドカバーを備えている。そして、当該ガイドカバーの内面側（原稿搬送路側）に読取ローラを設け、筐体側に設けられた駆動モータから、ベルト又はギヤ伝動系を介してガイドカバー側の読取ローラに伝達するように構成されている。シェーディング補正の際は、駆動モータの駆動にて読取ローラを回転駆動させて、読取ローラの白色基準部を画像読取部と対峙させ、画像読取部にて白色基準部を読み取ることになる。
【０００８】
しかし、前記従来の構成では、筐体側にある駆動モータと、ガイドカバー側にある読取ローラとを、ベルト又はギヤ伝動系にて動力伝達可能に連結しているため、紙詰まり除去や読取ローラ清掃に際してガイドカバーを開放させたときに、駆動モータが駆動しなくても、前記開放動作に伴い読取ローラが回転して白色基準部がガイドカバーの内面側に露出してしまう場合がある。このような状態では、白色基準部が外部に現れてユーザ等が白色基準部に接触可能になるから、白色基準部を不用意に汚した結果、シェーディング補正の精度低下を招来する可能性を回避できない。
【０００９】
そこで、本願発明は上記の問題を解消することを技術的課題とするものである。
【課題を解決するための手段】
【００１０】
請求項１の発明は、原稿搬送路を挟んで一方に移動不能に配置された画像読取部と、前記原稿搬送路を挟んで他方に配置されたシェーディング補正用の白色基準体と、前記原稿搬送路を露出させたり覆ったりするように開閉可能なカバー体と、前記白色基準体をシェーディング補正時の作用姿勢と非作用姿勢とに姿勢変更させる駆動手段とを備えており、前記カバー体に前記白色基準体が取り付けられている画像読取装置であって、前記白色基準体と前記駆動手段とは、前記カバー体の開放動作に連動して前記白色基準体が前記作用姿勢にならないように関連付けられているというものである。
【００１１】
請求項２の発明は、請求項１に記載した画像読取装置において、前記白色基準体は主走査方向に長い回転ローラであり、その外周に、前記主走査方向に沿って帯状に延びる白色基準面を有しており、前記作用姿勢のときは、前記回転ローラが前記駆動手段の動力にて回転して、前記白色基準面を前記カバー体の前記原稿搬送路側に露出させており、更に、前記カバー体の開放時に前記回転ローラの前記作用姿勢への回転を阻止するロック手段を備えているというものである。
【００１２】
請求項３の発明は、請求項２に記載した画像読取装置において、前記ロック手段は、前記回転ローラの一端側に設けられた係合部に対して弾性変形にて係脱可能なラチェット爪を有しており、前記カバー体の開放動作によって前記ラチェット爪が前記回転ローラの前記係合部に係止し、前記回転ローラの前記作用姿勢への回転を阻止するように構成されているというものである。
【００１３】
請求項４の発明は、請求項１に記載した画像読取装置において、前記駆動手段は、前記カバー体の開放時に前記白色基準体への動力伝達を遮断する伝動カット部材を有しており、前記伝動カット部材の作動によって、前記白色基準体が前記駆動手段による姿勢変更をしないフリー状態になるように構成されているというものである。
【００１４】
請求項５の発明は、請求項４に記載した画像読取装置において、前記伝動カット部材は、前記カバー体の開閉動作に連動して前記白色基準体への動力伝達を断続するクラッチ部材であるというものである。
【００１５】
請求項６の発明は、請求高４に記載した画像読取装置において、前記伝動カット部材は、前記カバー体の開放動作によって噛み合いが解除されるギヤ部材であるというものである。
【００１６】
請求項７の発明は、請求項１に記載した画像読取装置において、前記カバー体側に前記駆動手段を設けることによって、前記カバー体の開放動作に連動して前記白色基準体が前記作用姿勢にならないように構成されているというものである。
【発明の効果】
【００１７】
本願の請求項に記載された発明によると、原稿搬送路を挟んで一方に移動不能に配置された画像読取部と、前記原稿搬送路を挟んで他方に配置されたシェーディング補正用の白色基準体と、前記原稿搬送路を露出させたり覆ったりするように開閉可能なカバー体と、前記白色基準体をシェーディング補正時の作用姿勢と非作用姿勢とに姿勢変更させる駆動手段とを備えており、前記カバー体に前記白色基準体が取り付けられている画像読取装置であって、前記白色基準体と前記駆動手段とは、前記カバー体の開放動作に連動して前記白色基準体が前記作用姿勢にならないように関連付けられているから、前記カバー体を開放させたときに、ユーザ等が作用姿勢の前記回転ローラに接触するおそれは従来に比して少なくなる。その結果、前記カバー体を開放させた状態で作用姿勢の前記回転ローラを汚すおそれが減り、シェーディング補正精度を長期間良好な状態で維持し易いという効果を奏する。
【図面の簡単な説明】
【００１８】
【図１】画像読取機能を有する画像形成装置の外観斜視図である。
【図２】画像読取装置の内部構造を示す概略側面断面図である。
【図３】第１実施例におけるカバー体の概略側面断面図である。
【図４】（ａ）は回転ローラの通紙面を露出させた状態を示す概略側面断面図、（ｂ）は回転ローラの白色基準面を露出させた状態を示す概略側面断面図である。
【図５】閉じた状態のカバー体と駆動手段との関係を示す側面説明図である。
【図６】ラッチ解除した状態のカバー体と駆動手段との関係を示す側面説明図である。
【図７】開放させた状態のカバー体と駆動手段との関係を示す側面説明図である。
【図８】第１実施例の別例を示す側面説明図である。
【図９】第２実施例におけるカバー体の概略側面図である。
【図１０】カバー体と駆動手段との関係を示す要部平面図である。
【図１１】第３実施例において閉じた状態のカバー体と駆動手段との関係を示す側面説明図である。
【図１２】開放させた状態のカバー体と駆動手段との関係を示す側面説明図である。
【図１３】第４実施例におけるカバー体の概略側面図である。
【図１４】カバー体と駆動手段との関係を示す要部平面図である。
【発明を実施するための形態】
【００１９】
以下に、本願発明を具体化した実施形態を図面に基づいて説明する。実施形態の画像読取装置４は、画像形成装置の一例としての複合機１（以下、ＭＦＰという）に搭載されている。
【００２０】
（１）．画像形成装置の概要
図１に示すＭＦＰ１は、コピー機能、スキャナ機能、プリンタ機能、ファックス機能といった多くの機能を有するものであり、例えばＬＡＮや電話回線といったネットワーク（通信網）を介してのデータ送受信が可能になっている。すなわちＭＦＰ１は、原稿から読み取った画像データをネットワーク経由で他のコンピュータに出力したり、ネットワーク経由で他のコンピュータから画像データを入力し、当該画像データに基づく印刷を実行したり、ＦＡＸデータの送受信をしたりできるものである。
【００２１】
ＭＦＰ１における装置本体１ａの上部に、スキャナ部２及び自動原稿搬送部３（以下、ＡＤＦという）からなる画像読取装置４が設けられている。画像読取装置４は、スキャナ部２とＡＤＦ３とを同期して作動させ、ＡＤＦ３にセットされた原稿１枚ずつから画像を光学的に読み取ることにより、画像データを取得するように構成されている。すなわち、ＡＤＦ３はスキャナ部２に向けて原稿を１枚ずつ搬送し、スキャナ部２は、原稿が所定の読取位置を通過する際に画像を読み取って、画像データを取得するように構成されている
【００２２】
装置本体１ａの下部には、記録材を収容する給紙部６が設けられている。装置本体１ａのうち画像読取装置４と給紙部６との間には、記録材上にトナー画像を印刷する画像形成部５が設けられている。給紙部６は記録材を１枚ずつ画像形成部５に供給し、画像形成部５は、画像読取装置４やネットワーク経由で取得された画像データに基づき、記録材上にトナー画像を印刷するように構成されている。装置本体１ａのうち画像読取装置４と画像形成部５との間にある凹みスペースは排紙貯留部７になっている。画像形成部５によってトナー画像が印刷された記録材は排紙貯留部７に排出される。
【００２３】
装置本体１ａの正面側（前面側）には、複数のキー（ボタン）を有する操作パネル８が設けられている。ユーザは、操作パネル８の表示画面等を見ながらキー操作をすることによって、ＭＦＰ１の各種機能の中から選択した機能について設定操作をしたり、ＭＦＰ１に作業実行を指示したりできる。
【００２４】
（２）．画像読取装置の構造
次に、主として図２を参照しながら画像読取装置４の構造について説明する。ＡＤＦ３は、複数枚の原稿Ｍが積載（セット）される給紙トレイ３１を備えている。給紙トレイ３１に積載された原稿Ｍは、ピックアップローラ３２及び給紙ローラ対３３にて、最上層のものから１枚ずつ原稿搬送路３０に送り出され、中間ローラ対３４を介してレジストローラ対３５に搬送される。レジストローラ対３５は、搬送されてきた１枚の原稿Ｍを所定の姿勢にすると共に、所定のタイミングで第１搬送ローラ対３６に向けて搬送するように構成されている。そして、第１搬送ローラ対３６にて、原稿Ｍがスキャナ部２のスリットガラス２１上に搬送される。スリットガラス２１は、原稿搬送方向と直交する主走査方向に長い細幅長板状に形成され且つ透明なものである。
【００２５】
スリットガラス２１上を原稿Ｍが通過するに際しては、スリットガラス２１の下方に位置する第１原稿読取手段２２が、原稿Ｍにおける下向きの第１面（表面）の画像を読み取る。原稿搬送路３０のうちスリットガラス２１上より搬送下流側には、第２搬送ローラ対３７、請求項に記載した画像読取部としての第２原稿読取手段３８、第３搬送ローラ対３９及び排紙ローラ４０が配置されている。スリットガラス２１上を通過した原稿Ｍは、第２搬送ローラ対３７にて第２原稿読取手段３８の直下に送られ、第２原稿読取手段３８が、通過中の原稿Ｍにおける上向きの第２面（裏面）の画像を読み取る。第２原稿読取手段３８の直下を通過した原稿Ｍは、第３搬送ローラ対３９及び排紙ローラ４０にて、給紙トレイ３１の下方に位置する排紙トレイ４１上に排出される。
【００２６】
図２から明らかなように、ＡＤＦ３内の原稿搬送路３０は、給紙トレイ３１から、ピックアップローラ３２、給紙ローラ対３３、中間ローラ対３４、レジストローラ対３５、第１搬送ローラ対３６、スリットガラス２１上、第２搬送ローラ対３７、第２原稿読取手段３８の直下、第３搬送ローラ対３９及び排紙ローラ４０を経て、排紙トレイ４１に至る側面視略Ｕ字状（湾曲状）の経路になっている。
【００２７】
スリットガラス２１の上方には回転可能な清掃ローラ４２が設けられている。清掃ローラ４２は、スリットガラス２１上に原稿Ｍがない状態で回転駆動して、スリットガラス２１上に付着した紙粉等の異物を取り除くように構成されている。例えばＡＤＦ３において複数枚の原稿Ｍを連続搬送する際に、清掃ローラ４２は、先の原稿Ｍがスリットガラス２１上を通過してから次の原稿Ｍが到着するまでの時間間隔で回転駆動して、スリットガラス２１上を清掃する。原稿搬送路３０を挟んで第２原稿読取手段３８の反対側には、シェーディング補正用の白色基準体の一例である回転ローラ４３が回転可能に設けられている。
【００２８】
一方、スキャナ部２の上面には、前述したスリットガラス２１と、広幅平板状で且つ透明なプラテンガラス２３とが設けられている。そして、スキャナ部２内に、前述した第１原稿読取手段２２が設けられている。第１原稿読取手段２２は、スリットガラス２１上を通過する原稿Ｍの第１面の画像や、プラテンガラス２３上に載置された原稿Ｍの画像を読み取るものであり、光源２４ａ及び反射ミラー２４ｂを有する走査ユニット２４、一対の反転ミラー２５ａ，２５ｂを有する走行ユニット２５、結像レンズ２６及び第１ラインセンサ２７を備えている。
【００２９】
スリットガラス２１上を原稿Ｍが通過する際は、走査ユニット２４及び走行ユニット２５を固定した状態で、光源２４ａから原稿Ｍの第１面に向けて光を照射する。そうすると、原稿Ｍの第１面からの反射光が、反射ミラー２４ｂ、両反転ミラー２５ａ，２５ｂ及び結像レンズ２６を介して、第１ラインセンサ２７に導かれて結像される。また、プラテンガラス２３上に載置された原稿Ｍの画像を読み取る際は、走査ユニット２４及び走行ユニット２５が副走査方向に移動しながら、光源２４ａから原稿Ｍの下面（対峙面）に向けて光を照射し、その反射光を第１ラインセンサ２７に導いて結像させる。第１ラインセンサ２７は、主走査方向に沿って並ぶ複数の光電変換素子を有するＣＣＤ（Charge Coupled Device）にて構成されている。第１ラインセンサ２７は、結像された光画像を画像信号に変換して画像処理部２８に出力する。画像処理部２８では、入力された画像信号を、アナログ処理、Ａ／Ｄ変換、シェーディング補正、画像圧縮処理等して、デジタル化した画像データを生成し、これを画像形成部５に出力する。
【００３０】
ＡＤＦ３内に移動不能に配置された第２原稿読取手段３８は、回転ローラ４３上を通過する原稿Ｍの第２面の画像を読み取るものであり、一対の光源４４ａ，４４ｂ及び第２ラインセンサ４５を備えている（図３参照）。回転ローラ４３上を原稿Ｍが通過する際は、両光源４４ａ，４４ｂから原稿Ｍの第２面に向けて光を照射し、その反射光を第２ラインセンサ４５が受けて結像させる。第２ラインセンサ４５は、主走査方向に沿って並ぶ複数の光電変換素子を有するＣＩＳ（Contact Image Sensor）にて構成されている。第２ラインセンサ４５も第１ラインセンサ２７と同様に、結像された光画像を画像信号に変換して画像処理部２８に出力する。
【００３１】
ＡＤＦ３の底面側には、第２原稿読取手段３８と対峙するカバー体５０が、搬送下流（図２においては右方、図３においては左方）側の支点部５１を回動中心として開閉回動可能に設けられている。カバー体５０における原稿搬送路３０側の内面は、当該カバー体５０を閉じた状態で原稿搬送路３０の一部を構成するガイド面として機能している。カバー体５０には、第２搬送ローラ３７の一方と回転ローラ４３と第３搬送ローラ３９の一方とが、互いに平行状で且つ回転可能に組み付けられてユニット化されている。カバー体５０における原稿搬送路３０側の内面には、各ローラ３７，４３，３９に対応して開口溝（図示省略）が形成されている。各ローラ３７，４３，３９の外周側の一部を開口溝から露出させている。カバー体５０の開閉回動によって、原稿搬送路３０のうち第２搬送ローラ対３７から第３搬送ローラ対３９までの範囲が露出したり覆われたりすることになる。
【００３２】
カバー体５０における主走査方向の両側板部には、ＡＤＦ３側に設けられたラッチ受け片５３に係脱するラッチ爪５２がそれぞれ設けられている（図５〜図７に一方のみ示す）。カバー体５０に設けられた開閉把手（図示省略）の操作にてラッチ受け片５３に対してラッチ爪５２を係脱させることにより、カバー体５０を開き回動可能な状態にしたり（開き状態に移行可能にしたり）、閉じ状態に維持したりすることになる。
【００３３】
白色基準体の一例である回転ローラ４３は主走査方向に延びていて、カバー体５０に回転可能に軸支されている。回転ローラ４３の外周部は湾曲面（ローラ面）と平坦面とにより構成されている。図４（ａ）（ｂ）に示すように、湾曲面側は、主走査方向に沿って帯状に延びるシェーディング補正のための白色基準面４３ａと、原稿Ｍ搬送時に原稿Ｍに接触してガイドする通紙面４３ｂとに分けられている。平坦面側には、多数のブラシ毛からなる清掃ブラシ４３ｃが植設されている。
【００３４】
回転ローラ４３は通常、通紙面４３ｂをカバー体５０の開口溝から露出させた非作用姿勢になっている（図４（ａ）参照）。例えば原稿Ｍが第２原稿読取手段３８の直下を通過するときは、通紙面４３ｂが原稿Ｍに接触してガイドする。また、原稿Ｍが第２原稿読取手段３８の直下を通過する前にシェーディング補正をする際は、回転ローラ４３が回転駆動して、白色基準面４３ａをカバー体５０の開口溝から露出させた作用姿勢となる（図４（ｂ）参照）。すなわち、回転ローラ４３は、シェーディング補正時に白色基準面４３ａをカバー体５０から露出させる（第２原稿読取手段３８に対峙させる）作用姿勢と、白色基準面４３ｂをカバー体５０内に隠した非作用姿勢とに姿勢変更するように構成されている。
【００３５】
なお、平坦面側の清掃ブラシ４３ｃは、原稿Ｍが第２原稿読取手段３８の直下に存在しない状態で、回転ローラ４３の適宜回転駆動によって第２原稿読取手段３８に接触させるように構成されている。第２原稿読取手段３８に付着した紙粉等の異物は、清掃ブラシ４３ｃにて掃き取られて除去されることになる。
【００３６】
図５〜図７に詳細に示すように、回転ローラ４３における軸部の一端側には、当該回転ローラ４３を姿勢変更（回転駆動）させるための駆動手段５５が動力伝達可能に連結されている。駆動手段５５は、ＡＤＦ３内部に配置された駆動モータ５６を備えている。駆動モータ５６のモータ出力軸５７は正逆回転可能であり、当該モータ出力軸５７には出力プーリ５８が固着されている。カバー体５０における支点部５１の一端側には、第１中継プーリ５９ａ及び第２中継プーリ５９ｂが回転可能に軸支されている。両中継プーリ５９ａ，５９ｂは一体回転するように構成されている。駆動モータ５６側の出力プーリ５８と第１中継プーリ５９ａとに、動力伝達用の上流伝動ベルト６０が巻き掛けられている。第２中継プーリ５９ｂに巻き掛けられた下流伝動ベルト６２は、回転ローラ４３における軸部の一端側に固着された入力プーリ６１に掛け回されている。両伝動ベルト６０，６２を介して駆動モータ５６の回転動力を回転ローラ４３に伝達することによって、回転ローラ４３の通紙面４３ｂをカバー体５０から露出させたり、白色基準面４３ａをカバー体５０から露出させたり、清掃ブラシ４３ｃを第２原稿読取手段３８に接触させたりするように構成されている。
【００３７】
（３）．露出防止構造の第１実施例
次に、図５〜図７を参照しながら、カバー体５０の開放動作に伴う白色基準面４３ａの不用意な露出を防止する構造の第１実施例（本願発明の第１実施例）を説明する。上記のように、ＡＤＦ３側の駆動モータ５６とカバー体５０側の回転ローラ４３とを両伝動ベルト６０，６２にて動力伝達可能に連結していると、カバー体５０を開放させたときに、カバー体５０の支点部５１にある両中継プーリ５９ａ，５９ｂの構造関係に起因して下流伝動ベルト６２が周回し、回転ローラ４３が白色基準面４３ａをカバー体５０から露出させた作用姿勢になるおそれがある。これに対して実施形態では、回転ローラ４３と駆動手段５５とを、カバー体５０の開放動作に連動して回転ローラ４３が作用姿勢にならないように関連付けている。
【００３８】
図５〜図７に示す第１実施例では、カバー体５０の開放時に回転ローラ４３の作用姿勢への回転を阻止するロック手段７０を備えている。入力プーリ６１の外周に設けられた係合部としてのラチェット歯７１と、ラチェット歯７１に対して弾性変形にて係脱可能なラチェット爪７２とを有している。ラチェット爪７２は、カバー体５０の開放動作によってラチェット歯７１を係止し、回転ローラ４３の作用姿勢への回転を阻止する（回転ローラ４３を回転不能に維持して白色基準面４３ａの露出を防止する）ように構成されている。
【００３９】
ラチェット歯７１は、入力プーリ６１の外周に、周方向に沿った飛び飛びの間隔で形成されている。ラチェット爪７２は弾性変形可能な素材からなっていて、カバー体５０のうち入力プーリ６１の下方側に配置されている。ラチェット爪７２は、自身の弾性復原力にて、ラチェット歯７１に下方から係合する方向に常時付勢されている。
【００４０】
ラチェット爪７２には、カバー体５０を閉じた状態で、ＡＤＦ３側にあるラッチ受け片５３に形成された当接部５４に押圧当接する解除アーム７３が一体的に設けられている。カバー体５０を閉じた状態（図５参照）では、ラッチ受け片５３の当接部５４に解除アーム７３が押圧当接し、ラチェット爪７２がその弾性復原力に抗してラチェット歯７１から離れる方向に弾性変形する。このため、入力プーリ６１ひいては回転ローラ４３は、駆動モータ５６の回転動力にて回転可能な状態になる。
【００４１】
図６及び図７に示すように、カバー体５０を開放させると、カバー体５０側の解除アーム７３がＡＤＦ３側にあるラッチ受け片５３の当接部５４から離れる。その結果、ラチェット爪７２がラチェット歯７１に係合する。回転ローラ４３は通常、通紙面４３ｂをカバー体５０から露出させた非作用姿勢になっているから、ラチェット爪７２の係止作用によって、回転ローラ４３は非作用姿勢のままで（通紙面４３ｂをカバー体５０から露出させたままで）回転不能に保持されることになる。
【００４２】
上記の構成によると、回転ローラ４３と駆動手段５５とを、カバー体５０の開放動作に連動して回転ローラ４３が作用姿勢にならないように関連付けているから、カバー体５０を開放させたときに、ユーザ等が作用姿勢の回転ローラ４３に接触するおそれは従来に比して少なくなる。その結果、カバー体５０を開放させた状態で作用姿勢の回転ローラ４３を汚すおそれが減り、シェーディング補正精度を長期間良好な状態で維持し易いという効果を奏する。
【００４３】
特に第１実施例では、カバー体５０の開放時に回転ローラ４３の作用姿勢への回転を阻止するロック手段７０を備えているから、カバー体５０の開放時において回転ローラ４３の非作用姿勢での姿勢安定性が高い。すなわち、カバー体５０を開放させたときに、仮にユーザ等が回転ローラ４３に触れたとしても、ロック手段７０の作用によって回転ローラ４３を非作用姿勢のままに保持できる。従って、ユーザ等が作用姿勢の回転ローラ４３に接触するおそれをほぼなくせるという効果を奏する。
【００４４】
また、ロック手段７０は、回転ローラ４３の一端側に設けられた係合部としてのラチェット歯７１に対して係脱可能なラチェット爪７２を有しており、カバー体５０の開放動作によってラチェット爪７２が回転ローラ４３のラチェット歯７１を係止し、回転ローラ４３の作用姿勢への回転を阻止する（回転ローラ４３を回転不能に維持して白色基準面４３ａの露出を防止する）ように構成されているから、カバー体５０を開放させるだけで、弾性変形を利用してラチェット爪７２によりラチェット歯７１をスムーズに係止でき、簡単な構成でありながら、回転ローラ４３の作用姿勢への回転阻止を支障なく行える。
【００４５】
なお、駆動手段５５において、支点部５１側の第２中継プーリ５９ｂと、回転ローラ４３側の入力プーリ６１とを動力伝達可能につなぐ構造は、前述した下流伝動ベルト６２（ベルト伝動構造）に限るものではない。例えば図８に示すように、両プーリ５９ｂ，６１をギヤ７４，７５に代えた上で、これら両ギヤ７４，７５の間に中継ギヤ群７６を配置したギヤ伝動構造を採用してもよい。この場合、入力プーリ６１に代わるギヤ７５自体が、前述のラチェット歯７１の機能を果たし得ることは言うまでもない。第２中継プーリ５９ｂに代わるギヤ７４は第１中継プーリ５９ａと一体回転するように連結している。
【００４６】
（４）．露出防止構造の第２実施例
図９及び図１０は本願発明の第２実施例を示している。第２実施例では、駆動モータ５６から回転ローラ４３に動力伝達するための駆動手段５５が、カバー体５０の開放時に回転ローラ４３への動力伝達を遮断する伝動カット部材８０を有し、伝動カット部材８０の作動によって、回転ローラ４３が駆動手段５５による姿勢変更をしないフリー状態になるように構成した点において、第１実施例のものと相違している。その他の構成は概ね第１実施例と同じである。
【００４７】
この場合、カバー体５０の支点部５１には、伝動カット部材８０の一例として、カバー体５０の開閉動作に連動して回転ローラ４３への動力伝達を断続するクラッチ部材８１が設けられている。クラッチ部材８１は電磁クラッチにて構成されている。カバー体５０を閉じ且つ駆動モータ５６が駆動する状態では、クラッチ部材８１がＯＮして、第１中継プーリ５９ａを第２中継プーリ５９ｂに一体的に回転するように連結する。このため、駆動モータ５６からの回転動力は、両伝動ベルト６０，６２を経由して回転ローラ４３に伝達される。
【００４８】
カバー体５０を開放させた状態では、駆動モータ５６が駆動しないのでクラッチ部材８１はＯＦＦになる。そして、第１中継プーリ５９ａひいては第２中継プーリ５９ｂは空転可能なフリー状態となる。そうすると、カバー体５０の開放動作に連動して回転ローラ４３を作用姿勢に向けて回転させようとする力は、フリー状態の第２中継プーリ５９ｂに吸収（相殺）されるから、回転ローラ４３は、ユーザ等が不用意に接触したりしない限り、通紙面４３ｂをカバー体５０から露出させた非作用姿勢を維持することになる。
【００４９】
従って、第２実施例の場合も、カバー体５０を開放させたときに、ユーザ等が作用姿勢の回転ローラ４３に接触するおそれは従来に比して少なくなり、第１実施例と同様に、作用姿勢の回転ローラ４３を汚しにくくて、シェーディング補正精度を長期間良好な状態で維持できるという効果を奏する。なお、クラッチ部材８１をカバー体５０に内蔵するようにしてもよい。
【００５０】
（５）．露出防止構造の第３実施例
図１１及び図１２は本願発明の第３実施例を示している。第３実施例では、伝動カット部材８０の別例として、カバー体５０の開放動作によって噛み合いが解除されるギヤ部材８２を採用している。この場合、カバー体５０の支点部５１に、第１及び第２中継プーリ５９ａ，５９ｂがなく、ＡＤＦ３内部側に、モータ出力軸５７と平行な軸線回りに回動可能な上流側連結ギヤ８３が設けられている。上流側連結ギヤ８３は上流伝動ベルト６０が巻き掛けられるプーリ部を有しており、駆動モータ５６からの回転動力（モータ出力軸５７の回転）は、上流伝動ベルトを介して上流側連結ギヤ８３に伝達される。
【００５１】
カバー体５０における主走査方向の一側板部には、カバー体５０を閉じた状態で上流側連結ギヤ８３と噛み合う下流側連結ギヤ８４が回転可能に軸支されている。そして、回転ローラ４３における軸部の一端側には、入力プーリ６１に代えて、入力ギヤ８５が固着されている。下流側連結ギヤ８４は、カバー体５０の開閉状態に拘らず、常時入力ギヤ８５と噛み合っている。上流側連結ギヤ８３及び下流側連結ギヤ８４がギヤ部材８２を構成している。
【００５２】
カバー体５０を開放させた状態では、上流側連結ギヤ８３と下流側連結ギヤ８４との噛み合いが解除され、下流側連結ギヤ８４は空転可能なフリー状態となる。この場合、カバー体５０の開放動作に連動して回転ローラ４３を作用姿勢に向けて回転させようとする力は、連結ギヤ８３，８４同士が離れていて作用しない（存在しない）から、回転ローラ４３は、ユーザ等が不用意に接触したりしない限り、通紙面４３ｂをカバー体５０から露出させた非作用姿勢を維持することになる。
【００５３】
従って、第３実施例の場合も、カバー体５０を開放させたときに、ユーザ等が作用姿勢の回転ローラ４３に接触するおそれは従来に比して少なくなり、第１及び第２実施例と同様に、作用姿勢の回転ローラ４３を汚しにくくて、シェーディング補正精度を長期間良好な状態で維持できるという効果を奏する。
【００５４】
（６）．露出防止構造の第４実施例
図１３及び図１４は本願発明の第４実施例を示している。第４実施例では、駆動モータ８６から回転ローラ４３に動力伝達するための駆動手段５５をカバー体５０側に設けることによって、カバー体５０の開放動作に連動して回転ローラ４３が作用姿勢にならないように構成した点において、第１実施例のものと相違している。その他の構成は概ね第１実施例と同じである。
【００５５】
第４実施例では、駆動手段５５の一構成要素である駆動モータ８６がカバー体５０の内部に設けられている。駆動モータ８６において正逆回転可能なモータ出力軸８７は、カバー体５０における主走査方向の一側板部（入力プーリ６１のある側板部）から外向きに突出している。モータ出力軸８７の突出端側に出力プーリ８８が固着されている。駆動モータ８６側の出力プーリ８８と、回転ローラ４３における軸部の一端側に固着された入力プーリ６１とに、伝動ベルト８９が巻き掛けられている。
【００５６】
この場合、駆動手段５５が全てカバー体５０側に存在し、ＡＤＦ３側につながっていないので、カバー体５０の開放動作に連動して回転ローラ４３を作用姿勢に向けて回転させようとする力は作用しない（存在しない）。このため、回転ローラ４３は、ユーザ等が不用意に接触したりしない限り、通紙面４３ｂをカバー体５０から露出させた非作用姿勢を維持することになる。
【００５７】
従って、第４実施例の場合も、カバー体５０を開放させたときに、ユーザ等が作用姿勢の回転ローラ４３に接触するおそれは従来に比して少なくなり、第１〜第３実施例と同様に、作用姿勢の回転ローラ４３を汚しにくくて、シェーディング補正精度を長期間良好な状態で維持できるという効果を奏する。
【００５８】
（７）．その他
以上、本願に関するいくつかの実施例について説明したが、本願発明は上述した内容のものに限定されるものではない。例えば、上述した実施形態では、画像形成装置ＭＦＰ１が、コピー機能、ＦＡＸ機能、プリンタ機能、スキャナ機能などの複数の機能を備えた装置である場合を示したが、必ずしもそれら複数の機能を全て備えている必要はない。特に画像読取装置４は、コピー機能、ＦＡＸ機能、スキャナ機能のうちの少なくとも１つの機能を備えた装置に対して適用可能である。白色基準体としては、回転ローラ４３に限らず、移動可能な白色基準板も採用できる。その他、各部の構成は図示の実施形態に限定されるものではなく、本願発明の趣旨を逸脱しない範囲で種々変更が可能である。
【符号の説明】
【００５９】
１  ＭＦＰ（複合機）
２  スキャナ部
３  ＡＤＦ（自動原稿搬送部）
４  画像読取装置
３０  原稿搬送路
３８  第２原稿読取手段（画像読取部）
４３  回転ローラ（白色基準体）
４３ａ  白色基準面
４３ｂ  通紙面
５０  カバー体
５５  駆動手段
７０  ロック手段
【図１】
2011155553.tif 000003
【図２】
2011155553.tif 000004
【図３】
2011155553.tif 000005
【図４】
2011155553.tif 000006
【図５】
2011155553.tif 000007
【図６】
2011155553.tif 000008
【図７】
2011155553.tif 000009
【図８】
2011155553.tif 000010
【図９】
2011155553.tif 000011
【図１０】
2011155553.tif 000012
【図１１】
2011155553.tif 000013
【図１２】
2011155553.tif 000014
【図１３】
2011155553.tif 000015
【図１４】
2011155553.tif 000016